(57)【要約】【課題】コンパクトな構成を有しがらも、高精度にレンズ駆動を行えるレンズ駆動装置を提供する。【解決手段】固定用ランド部ＦＬ１〜ＦＬ３にそれぞれ電気的に接続された配線用ランド部ＨＬ１〜ＨＬ３を、固定用ランド部ＦＬ１〜ＦＬ３に対して、ワイヤＷの延在方向に沿って形成している。即ち、ワイヤＷの延在方向に見たときに、互いに接続された固定用ランド部ＦＬ１〜ＦＬ３と配線用ランド部ＨＬ１〜ＨＬ３とは少なくとも一部が重なっているので、固定用ランド部ＦＬ１〜ＦＬ３の間隔を狭くでき、それによりホルダ基板ＨＢの幅Ｗを小さく抑えることができる。【選択図】図２
2008123597.tif 000002
【特許請求の範囲】
【請求項１】
光ピックアップ装置用のレンズ駆動装置であって、
ベースと、
前記ベースに対して可動であり、対物レンズを保持するホルダと、
一端側を前記ベースに取り付けられた複数本の導電性のワイヤと、
前記ワイヤの他端側を前記ホルダに固定するホルダ基板と、を有し、
前記ホルダ基板は、前記ワイヤがそれぞれ接合される複数の固定用ランド部と、各固定用ランド部に電気的に接続された複数の配線用ランド部とを備え、前記ワイヤの延在方向に見たときに、互いに接続される前記固定用ランド部と前記配線用ランド部とは少なくとも一部が重なっていることを特徴とするレンズ駆動装置。
【請求項２】
前記ワイヤの他端は、前記固定用ランド部上で終端しており、且つ前記他端と前記固定用ランド部の端部との間に隙間が存在することを特徴とする請求項１に記載のレンズ駆動装置。
【請求項３】
前記ワイヤの他端と前記固定用ランド部の端部との間の隙間は、前記ワイヤの延在方向における前記固定用ランド部の全長の１／３以上であることを特徴とする請求項２に記載のレンズ駆動装置。
【請求項４】
同一の前記ホルダ基板に対して３本以上の前記ワイヤが固定されることを特徴とする請求項１〜３のいずれかに記載のレンズ駆動装置。
【請求項５】
前記ワイヤの延在方向における前記ホルダ基板の寸法は４mm以下であることを特徴とする請求項１〜４のいずれかに記載のレンズ駆動装置。
【請求項６】
前記ワイヤの延在方向に直交する方向における前記ホルダ基板の寸法は３mm以下であることを特徴とする請求項１〜５のいずれかに記載のレンズ駆動装置。
【発明の詳細な説明】
【技術分野】
【０００１】
本発明は、光ピックアップ装置用のレンズ駆動装置に関し、特に、コンパクトな構成を有しながらも、高精度にレンズ駆動を行えるレンズ駆動装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの光ディスクに情報の記録／再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。又、近年増大する傾向にあるＤＶＤの高速記録再生に対応させるべく、それらの動作に加えて、対物レンズの傾きを調整して収差補正を行うためのティルト動作も行われることが多くなってきている。加えて、ＨＤ  ＤＶＤの場合、基板厚が比較的厚く開口数も増大していることから、ティルト動作を精度良く行うことがより重要な課題となっている。そこで、特許文献１に示すように、対物レンズをフォーカシング、トラッキング、及びティルト制御を行うため、小型のアクチュエータが設けられている。
【０００３】
特許文献１には、片側２本ずつ合計４本のワイヤ部材にて、フォーカシング、トラッキング、及びティルト制御可能にレンズホルダを支持するレンズ駆動装置が開示されている。ワイヤ部材は、レンズホルダを弾性支持する支持機能と、各動作に必要な磁力を発生させるためにコイルに電流を供給する配線機能とを有する。
【特許文献１】特開２００５−２１６３５７号公報
【発明の開示】
【発明が解決しようとする課題】
【０００４】
ところで、アクチュエータへの配線機能を確保するために、ベースに対してレンズホルダを支持するワイヤ部材を用いることが行われている。かかる場合、ワイヤ部材を基板に半田付けする必要がある。しかるに、対物レンズのフォーカシング、トラッキング、及びティルト制御を精度良く行うためには、ワイヤ部材は数ミクロン〜数十ミクロンの位置精度で固定する必要があり、これは重要な組み立て工程と位置づけられている。もし、ワイヤ部材がずれたり曲がって固定されると、対物レンズを支持するレンズホルダが所定の方向に駆動された際に、それとは異なる方向に傾いたり、不用な共振が発生する恐れがある。ところが、近年においては、光ピックアップ装置の小型化の要請が強く、ワイヤ部材を固定する基板のサイズは縮小化する傾向があり、ワイヤ部材の半田付けは更に困難化している。特に、ノート型パソコン等に搭載される、いわゆるスリム又はウルトラスリムタイプの光ピックアップ装置には、厚み方向におけるスペースの制約が厳しいという実情があるため、これが組み立て時における大きな障害となっている。
【０００５】
本発明は、かかる問題点に鑑みて成されたものであり、コンパクトな構成を有しながらも、高精度にレンズ駆動を行えるレンズ駆動装置を提供することを目的とする。
【課題を解決するための手段】
【０００６】
請求項１に記載のレンズ駆動装置は、光ピックアップ装置用のレンズ駆動装置であって、
ベースと、
前記ベースに対して可動であり、対物レンズを保持するホルダと、
一端側を前記ベースに取り付けられた複数本の導電性のワイヤと、
前記ワイヤの他端側を前記ホルダに固定するホルダ基板と、を有し、
前記ホルダ基板は、前記ワイヤがそれぞれ接合される複数の固定用ランド部と、各固定用ランド部に電気的に接続された複数の配線用ランド部とを備え、前記ワイヤの延在方向に見たときに、互いに接続される前記固定用ランド部と前記配線用ランド部とは少なくとも一部が重なっていることを特徴とする。
【０００７】
本発明の作用効果を図面を参照し、比較例と比較して説明する。図１（ａ）は比較例としてのホルダ基板を示す斜視図であり、図１（ｂ）は、レンズホルダに固定した比較例のホルダ基板にワイヤを半田付けする工程を示す図である。図２（ａ）は本発明に一例にかかるホルダ基板を示す斜視図であり、図２（ｂ）は、レンズホルダに固定した本発明にかかるホルダ基板にワイヤを半田付けする工程を示す図である。
【０００８】
図１（ａ）において、比較例のホルダ基板ＨＢ’は幅ＷＤ’が比較的大きいため、３つの固定用ランド部ＦＬ１〜ＦＬ３の間隔を比較的大きく確保できる。従って、固定用ランド部ＦＬ１〜ＦＬ３にそれぞれ電気的に接続された配線用ランド部ＨＬ１〜ＨＬ３は、固定用ランド部ＦＬ１〜ＦＬ３に対してそれぞれ側方へとシフトした状態で形成することができる。
【０００９】
このようなホルダ基板ＨＢ’にワイヤＷを半田付けする場合、図１（ｂ）に示すように、固定治具Ｊ１にワイヤＷの一端側を固定し、固定治具Ｊ２にワイヤＷの他端側を固定する。更にホルダ基板ＨＢ’をレンズホルダＨＬＤごと、ワイヤＷに近づけるか接触させる。その後、熱した半田ごてＨＧを半田（不図示）とと共にホルダ基板ＨＢ’の固定用ランド部ＦＬ１〜ＦＬ３（図１（ａ））上を延在するワイヤＷに接近させ、溶融した半田を付着させた状態で固化させ、ワイヤＷを固定用ランド部ＦＬ１〜ＦＬ３に固定する。その後、ワイヤＷをホルダ基板ＨＢ’の端部（位置Ｃ）でカットする。
【００１０】
かかる組み立て態様における一つの問題は、ワイヤＷの両端側を固定治具Ｊ１，Ｊ２に固定しているので、半田ごてＨＧにより熱せられたワイヤＷが膨張し、図１（ｂ）の点線に示すように撓んで変形することである。これにより、ワイヤＷ毎に長さが異なる恐れがあり、取り付け精度が悪化し駆動特性が低下する恐れがある。
【００１１】
これに対し本発明かかるホルダ基板ＨＢは、図２（ａ）に示すように、薄形の光ピックアップ装置に搭載するために幅ＷＤが比較的小さくなっている（ＷＤ＜ＷＤ’）ため、３つの固定用ランド部ＦＬ１〜ＦＬ３の間隔を広く確保できない。そこで本発明においては、固定用ランド部ＦＬ１〜ＦＬ３にそれぞれ電気的に接続された配線用ランド部ＨＬ１〜ＨＬ３を、固定用ランド部ＦＬ１〜ＦＬ３に対して、ワイヤＷの延在方向に沿った位置で形成している。即ち、ワイヤＷの延在方向に見たときに、互いに接続された固定用ランド部ＦＬ１〜ＦＬ３と配線用ランド部ＨＬ１〜ＨＬ３とは少なくとも一部が重なっているので、固定用ランド部ＦＬ１〜ＦＬ３の間隔を狭くでき、それによりホルダ基板ＨＢの幅Ｗを小さく抑えることができる。
【００１２】
ところが、配線用ランド部ＨＬ１〜ＨＬ３を、固定用ランド部ＦＬ１〜ＦＬ３に対して、ワイヤＷの延在方向に沿って形成すると、図１（ａ）に示す組み立て態様では、配線用ランド部ＨＬ１〜ＨＬ３がワイヤＷに干渉してしまう。かかる場合、固定用ランド部ＦＬ１〜ＦＬ３とワイヤＷとが浮いて、半田付けが不適切となる恐れがある。
【００１３】
そこで本発明にかかるホルダ基板ＨＢは、以下のような態様で組み立てられることが好ましい。図２（ｂ）において、固定治具Ｊ１にワイヤＷの一端側を固定するが、ワイヤＷの途中はガイドＧＤにより長手方向にスライド可能に支持する。更にホルダ基板ＨＢをレンズホルダＨＬＤごと、ワイヤＷの他端に接触させる。より具体的には、ワイヤＷの延在方向におけるホルダ基板ＨＢの全長をＬとしたときに、ワイヤＷの端部（図２（ｂ）で左端）と、ホルダ基板ＨＢの端部との間に隙間ｄを設ける。かかる隙間を利用して、半田ごてＨＧをワイヤＷの端部に接近させることができ、組み立て性が向上する。かかる観点より、隙間ｄは、各固定ランド部ＦＬ１〜ＦＬ３の全長Ｎの１／３より大きくなっていると好ましく、具体的には０．２ｍｍ以上であると良い。尚、配線用ランド部ＨＬ１〜ＨＬ３と、固定用ランド部ＦＬ１〜ＦＬ３との間隔ａは０．３ｍｍ以上あると、半田付けしやすいので好ましい。
【００１４】
その後、熱した半田ごてＨＧを半田（不図示）とと共にホルダ基板ＨＢの固定用ランド部ＦＬ１〜ＦＬ３（図１（ａ））上を延在するワイヤＷの端部に接近させる。このとき、半田ごてＨＧにより熱せられたワイヤＷは膨張するが、ガイドＧＤはそのスライドを許容するので、ワイヤＷは長手方向にのみ変形する。従って、溶融した半田が固化したときに、ワイヤＷにたわみなどの変形は生じておらず、取り付け精度が向上し駆動特性を向上できる。又、図１（ｂ）に示す比較例に比べると、ワイヤＷの端部をカットする必要がないため、工程が簡略化され、コストが低減される。
【００１５】
更に、比較例にかかるホルダ基板ＨＢ’の固定用ランド部ＦＬ１〜ＦＬ３に半田付けされたワイヤＷにおいて、半田付けされた部位から端部（Ｃ）まで不要なものであり、これが片持ち状に延在してることで共振が１０ｋＨｚ程度に生じ、高次共振を誘発する恐れがある。これに対し本発明によれば、ワイヤＷの端部は、ホルダ基板ＨＢの固定用ランド部ＦＬ１〜ＦＬ３に半田付けされているため、それに起因して共振が発生することがなく、広帯域で用いても高次共振を誘発する恐れを抑制でき、同時に軽量化を図れるので応答性も向上する。又、ワイヤの線材を有効に活用できるので、コスト及び環境保護の観点からも好ましい。以上の本発明については、特に３本以上のワイヤＷを一つのホルダ基板ＨＢに固定する際に有効である。
【００１６】
請求項２に記載の駆動装置は、請求項１に記載の発明において、前記ワイヤの他端は、前記固定用ランド部上で終端しており、且つ前記他端と前記固定用ランド部の端部との間に隙間が存在することを特徴とする。
【００１７】
請求項３に記載の駆動装置は、請求項２に記載の発明において、前記ワイヤの他端と前記固定用ランド部の端部との間の隙間は、前記ワイヤの延在方向における前記固定用ランド部の全長の１／３以上であることを特徴とする。
【００１８】
請求項４に記載の駆動装置は、請求項１〜３のいずれかに記載の発明において、同一の前記ホルダ基板に対して３本以上の前記ワイヤが固定されることを特徴とする。
【００１９】
請求項５に記載の駆動装置は、請求項１〜４のいずれかに記載の発明において、前記ワイヤの延在方向における前記ホルダ基板の寸法（図２（ａ）のＬ）は４mm以下であることを特徴とする。
【００２０】
請求項６に記載の駆動装置は、請求項１〜５のいずれかに記載の発明において、前記ワイヤの延在方向に直交する方向における前記ホルダ基板の寸法（図２（ａ）のＷＤ）は、３mm以下であることを特徴とする。
【発明の効果】
【００２１】
本発明によれば、よりコンパクトな構成を有し、コンパクトな構成を有しがらも、高精度にレンズ駆動を行えるレンズ駆動装置を提供することができる。
【発明を実施するための最良の形態】
【００２２】
以下、図面を参照して、本発明をさらに詳細に説明する。図３は、本実施の形態にかかるレンズ駆動装置の斜視図である。ヨークを兼ねた板状のベース１は、不図示の光ピックアップ装置のハウジングに固定される。ベース１上には、筐体２が固定されている。筐体２の図で手前側には、基板３が取り付けられている。基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に取り付けられたガラスエポキシ製のホルダ基板１４上の固定用ランド部（図３で不図示）に、図２に示す態様でハンダ付けされている。ワイヤ４は、ベース１に対してホルダ５を移動可能に支持する機能と、不図示の配線が接続される基板３から、固定用ランド部及び配線用ランド部を経由して、後述するコイルに対して給電するための機能とを有する。なお、筐体２内には、ワイヤ４のダンピング効果のあるジェル（不図示）が充填されている。
【００２３】
ベース１に対して可動となっている樹脂製のホルダ５は、バランスに優れた略十字形であり、中央の円形開口（不図示）内に対物レンズ６を装着している。この対物レンズ６は、光ピックアップ装置において、光ディスクの情報記録面にレーザ光束を集光するために用いられる。又、ホルダ５は、両側に２つの矩形開口５ａ（手前側のみ図示）を形成している。
【００２４】
手前側の矩形開口５ａ内には、Ｌ字状の板を背中合わせにしたヨーク７Ａ、８Ａが上方より延在している。矩形開口５ａ内には、ヨーク７Ａ，８Ａの周囲を巻回するようにして第１コイル群Ｇ１が配置されている。第１コイル群Ｇ１に対し、矩形開口５ａを隔てて手前側には磁石１０Ａが配置され、奥側には磁石１０Ｂが配置されている。磁石１０Ａはヨーク７Ｂに裏打ちされ、磁石１０Ｂはヨーク８Ｂに裏打ちされている。ヨーク７Ｂ、８Ｂはベース１の一部であり、ヨーク７Ｂの上端にはヨーク７Ａの端部が連結され、ヨーク８Ｂの上端にはヨーク８Ａの端部が連結されている。第１コイル群Ｇ１と磁石１０Ａ及び１０Ｂとの間には、第１コイル群Ｇ１と巻軸線が直交するように巻かれたトラッキングコイル１１Ａ、１１Ｂが配置されている。
【００２５】
一方、矩形開口５ａに対し対物レンズ６を挟んで奥側の矩形開口内には、Ｌ字状の板を背中合わせにしたヨーク７Ｃ、８Ｃが上方より延在している。矩形開口内には、ヨーク７Ｃ，８Ｃの周囲を巻回するようにして第２コイル群Ｇ２が配置されている。第２コイル群Ｇ２に対し、矩形開口を隔てて手前側には磁石１０Ｃが配置され、奥側には磁石１０Ｄが配置されている。磁石１０Ｃはヨーク７Ｃに裏打ちされ、磁石１０Ｄはヨーク８Ｄに裏打ちされている。ヨーク７Ｄ、８Ｄはベース１の一部であり、ヨーク７Ｄの上端にはヨーク７Ｃの端部が連結され、ヨーク８Ｄの上端にはヨーク８Ｃの端部が連結されている。第２コイル群Ｇ２と磁石１０Ｃ及び１０Ｄとの間には、第２コイル群Ｇ２と巻軸線が直交するように巻かれたトラッキングコイル（図３で不図示）が配置されている。
【００２６】
次に、本実施の形態にかかるレンズ駆動装置の動作について説明する。ここでは、第１コイル群Ｇ１と第２コイル群Ｇ２は、それぞれ外側コイルと内側コイルとを２層に有しているものとする。
【００２７】
ワイヤ４を介して給電されたとき、第１のコイル群Ｇ１の外側コイルと第２のコイル群Ｇ２の外側コイルには、同じ電流値で同じ方向（ここでは時計回り）に電流が流れるため、フレミングの左手の法則により、２つのコイルには、図で上方に向かう磁力がそれぞれ生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００２８】
一方、第１のコイル群Ｇ１の内側コイルには、時計回りの方向に電流を流し、第２のコイル群Ｇ２の内側コイルには、反時計回りの方向に電流を流すと、フレミングの左手の法則により、一方の内側コイルには、図で上方に向かう磁力が生じ、他方の内側コイルには、図で下方に向かう磁力が生じる。従って、光軸の位置を中心としてホルダ５を傾けるモーメントが作用することとなる。これにより対物レンズ６を傾けるティルト動作を実現することができる。なお、電流の向きを逆にすれば、ホルダ５は逆側に傾く。チルト調整動作を外側コイルを用いて行い、フォーカシング動作を内側コイルを用いて行っても良い。
【００２９】
更に、トラッキングコイル１１Ａ〜１１Ｄに電流を流すことで、ホルダ５を対物レンズ６と共に、光軸に直交する方向に移動可能となっており、それによりトラッキング動作を行うことができる。
【００３０】
以上、本発明を実施の形態を参照して説明してきたが、本発明は上記実施の形態に限定して解釈されるべきではなく、適宜変更・改良が可能であることはもちろんである。例えば、レンズホルダの素材は樹脂に限らず、アルミニウム合金やマグネシウム合金等の金属を用いることもできる。
【図面の簡単な説明】
【００３１】
【図１】図１（ａ）は比較例としてのホルダ基板を示す斜視図であり、図１（ｂ）は、レンズホルダに固定した比較例のホルダ基板にワイヤを半田付けする工程を示す図である。
【図２】図２（ａ）は本発明に一例にかかるホルダ基板を示す斜視図であり、図２（ｂ）は、レンズホルダに固定した本発明にかかるホルダ基板にワイヤを半田付けする工程を示す図である。
【図３】本実施の形態にかかるレンズ駆動装置の斜視図である。
【符号の説明】
【００３２】
１ ベース
２ 筐体
４ ワイヤ
５ ホルダ
５ａ 矩形開口
５ｃ 切欠
５ｄ 面
５ｅ 面
５ｆ 面
６ 対物レンズ
７Ａ〜７Ｄ ヨーク
８Ａ〜８Ｄ ヨーク
１０Ａ〜１０Ｄ 磁石
１１Ａ〜１１Ｄ トラッキングコイル
１４ ホルダ基板
Ｇ１  第１コイル群
Ｇ２  第２コイル群
【図１】
2008123597.tif 000003
【図２】
2008123597.tif 000004
【図３】
2008123597.tif 000005